【事件の表示】
　特許第３１１１４３０号「メガネ型ディスプレイ」の請求項１ないし３に係る特許に対する特許異議の申立てについて、次のとおり決定する。
【結　論】
　訂正を認める。
　特許第３１１１４３０号の請求項１ないし２に係る特許を維持する。
【理　由】
（１）手続の経緯
　特許第３１１１４３０号の請求項１〜３に係る発明は、平成３年１０月１１日に特許出願され、平成１２年９月２２日にその特許の設定登録がなされ、その後異議申立人村田博により特許異議の申立がなされ、取消理由通知がなされ、その指定期間内である平成１３年１０月９日に訂正請求がなされたものである。
　
（２）訂正の適否についての判断
　（ア）訂正の内容
　訂正事項ａ
　特許請求の範囲の請求項１を、次のように訂正する。
「【請求項1】　液晶表示装置と拡大レンズとをメガネ型のフレームに収納してなるメガネ型ディスプレイにおいて、
　前記液晶表示装置と拡大レンズとは、前記液晶表示装置に表示され、前記拡大レンズにより拡大された画像が、前記メガネ型ディスプレイの使用者の正面に表示されるように配置され、
　前記メガネ型ディスプレイの使用者の正面からの外光が遮光され、
　前記メガネ型ディスプレイの使用者の正面より下方からの外光を、前記メガネ型ディスプレイのフレームを透過させて、前記メガネ型ディスプレイの使用者の眼に入射させる
　ことを特徴とするメガネ型ディスプレイ。」
　
　訂正事項ｂ
　特許時の特許請求の範囲の請求項２を削除する。
　
　訂正事項ｃ
　特許時の特許請求の範囲の請求項３を、次のように訂正する。
「【請求項2】　前記メガネ型ディスプレイは、その使用者が、通常の眼鏡をかけたまま装着できるように構成されていることを特徴とする請求項1に記載のメガネ型ディスプレイ。」
　
　訂正事項ｄ
　明細書の段落【０００６】中の
「メガネ型ディスプレイの使用者の正面より下方からの外光を、メガネ型ディスプレイの使用者の眼に入射させることを特徴とする。」を、「メガネ型ディスプレイの使用者の正面より下方からの外光を、メガネ型ディスプレイのフレームを透過させて、メガネ型ディスプレイの使用者の眼に入射させることを特徴とする。」と訂正する。
　
　訂正事項ｅ
　明細書の段落【０００７】を削除する。
　
　訂正事項ｆ
　明細書の段落【０００８】中の
「請求項3に記載のメガネ型ディスプレイは、」を、「請求項2に記載のメガネ型ディスプレイは、」と訂正する。
　
　訂正事項ｇ
　明細書の段落【０００９】中の
「下方から外界を見るようにしたので、視線の移動を少くして両方を交互に見ることができる。」を、「下方からフレームを透過して外界を見るようにしたので、視線の移動を少くして両方を交互に見ることができる。」と訂正する。
　
　訂正事項ｈ
　明細書の段落【００１０】を削除する。
　
　訂正事項ｉ
　明細書の段落【００１１】中の
「請求項3の構成のメガネ型ディスプレイにおいては、」を、「請求項2の構成のメガネ型ディスプレイにおいては、」と訂正する。
　
　（イ）訂正の目的の適否、新規事項の有無及び拡張・変更の存否
　訂正事項ａ、及びｂに係る訂正は、特許請求の範囲の減縮に該当し、実質的に特許請求の範囲を拡張又は変更するものではないし、新規事項の追加にも該当しない。
　
　訂正事項ｃ、ｄ、ｅ、ｆ、ｇ、ｈ、及びｉに係る訂正は、明瞭でない記載の釈明に該当し、実質的に特許請求の範囲を拡張又は変更するものではないし、新規事項の追加にも該当しない。
　
　（ウ）むすび
　以上のとおりであるから、上記訂正は特許法等の一部を改正する法律（平成６年法律第１１６号）（以下「平成６年改正法」という。）附則第６条第１項の規定によりなお従前の例によるとされる、特許法第１２０条の４第３項において準用する平成６年改正法による改正前の特許法第１２６条第１項ただし書及び第２項の規定に適合するので、当該訂正を認める。
　
（３）特許異議の申立について
　（ア）申立の理由の概要
　申立人村田博は、証拠として甲第１号証（特開昭６２−１２７８２６号公報）、甲第２号証（特開昭５８−７８１１６号公報）、甲第３号証（特開平３−２１４８７２号公報）を提出し、本件請求項１〜３に係る発明の特許は、甲第１〜３号証記載の発明に基づいて当業者が容易に発明することができたものであり、特許法第２９条第２項の規定に違反してなされたものであるので、本件請求項１〜３に係る発明の特許を取り消すべき旨主張している。
　
　（イ）本件請求項１及び２に係る発明
　上記「（２）訂正の適否についての判断」で示したように上記訂正が認められるから、本件請求項１及び２に係る発明は、上記訂正請求に係る訂正明細書の特許請求の範囲の請求項１及び２に記載された事項により特定される次のとおりのものである。
「【請求項1】　液晶表示装置と拡大レンズとをメガネ型のフレームに収納してなるメガネ型ディスプレイにおいて、
　前記液晶表示装置と拡大レンズとは、前記液晶表示装置に表示され、前記拡大レンズにより拡大された画像が、前記メガネ型ディスプレイの使用者の正面に表示されるように配置され、
　前記メガネ型ディスプレイの使用者の正面からの外光が遮光され、
　前記メガネ型ディスプレイの使用者の正面より下方からの外光を、前記メガネ型ディスプレイのフレームを透過させて、前記メガネ型ディスプレイの使用者の眼に入射させる
　ことを特徴とするメガネ型ディスプレイ。（以下、「本件発明１」という。）
　
【請求項2】　前記メガネ型ディスプレイは、その使用者が、通常の眼鏡をかけたまま装着できるように構成されている
　ことを特徴とする請求項1に記載のメガネ型ディスプレイ。」
　
　（ウ）引用刊行物
　当審が平成１３年７月２６日付で通知した取消理由で引用した刊行物１〔甲第１号証（特開昭６２−１２７８２６号公報）〕には、
「本発明は、テレビ、パソコン、ワープロ等の電子機器の画像表示装置に係り」（第２頁左上欄第１〜２行）
　
「目の前方２０ｃｍ以上の位置に虚像を作り」（第２頁左上欄第１４〜１５行）
　
「小型の実画像表示素子１に表示された画像を図外のレンズ系により目から２０ｃｍ以上離れた位置に虚像として拡大して見るものである。
　本発明における画像表示素子としては、液晶、ダイオード・アレイ等が用いられる。」（第２頁右上欄第９〜１４行）
　
「実施例においては、第４図に示すように画像表示装置を眼鏡の形態としたものである。すなわち、各画像表示装置は凸レンズ３−１と実画像表示装置３−２とからなり各画像表示装置は、並設された、接続部３−３で接続された一端は各画像表示装置に直交する係止部３−４に接続され、係止部３−４の先端は耳に係止する如くカールされている。このような構成とした場合は、小型で携帯に便利でかつ大型の拡大虚像をみることのできる画像表示装置とすることができる。」（第２頁左下欄第１０〜２０行）が記載されている。
　
　同刊行物２〔甲第２号証（特開昭５８−７８１１６号公報）〕には、
「本発明は、光学装置に関し、特に、頭上表示装置（ヘッドアップディスプレー）およびいわゆるナイト・ビジョン・ゴーグルに使用するのに適した光学装置に関し、更に、そのような光学装置を組入れた頭上表示装置およびナイト・ビジョン・ゴーグルに関する。」（第２頁左下欄第１１〜１６行）
　
「本発明の目的は、高性能飛行機の操縦士が使用するのに適する型式のナイト・ビジョン・ゴーグルを構成するのに好適な光学装置を提供することである。」（第２頁右下欄第１〜４行）
　
「第１〜８図の第１実施例においては、ゴーグル１１は取付具１５によってヘルメット１３に固着されている。」（第３頁右上欄第１６〜１８行）
　
「各光学装置１７の作動は、第８図を作照することによって容易に理解される。（第８図において、参照番号からａ，ｂの符号を除去してあるのは、ａ，ｂに共通のものとして説明するためである。）第８図から分るように、ゴーグルを着用した観察者の前方の遠くの場面Ｆからの光線は、対物レンズ３９によって反転され、屋根型プリズム３５によって屈折および反転された後、像増強鏡３３へ向けられて像増強鏡の出力面６１に前方場面の増強された実像を結ぶ。この実像からの光線は、次いで、接眼鏡２１にその第１部分５５の入力面５９を経て進入して屈折を受け、次いでその出力面６３で完全に反射され、次いで視準整正用の球面状の半反射性界面５４において反射され、最後に出力面６３を透過して観察者へ向けられる。接眼鏡２１の第２部分５７の入力面６７と、第１部分５５の出力面６３とが平行であるため、遠方場面Ｆは、接眼鏡２１を通して歪みを生じることなく観察される。
　光学装置１７ａ，１７ｂは、出力面６１における実像の面積の多部分に関して広範囲の角度の光線が入力面５９において屈折され、出力面６３から発出するように設計されている。
　出力面６３における反射は、光が接眼鏡２１の素材の臨界角に等しいか、それより大きい角度で入射することにより生じるのであるが、観察者の視野を大きくするために、出力面６３の１つまたはそれ以上の縁部に完全反射コーチングを施し、面６３の該縁部に臨界角以下の角度で入射してくる光線をも反射させるようにすることができる。
　球面状の反射面５４は、慣用の半透光性、半反射性コーチングによって形成することができるが、例えば英国特許第２，９７１，８６６号に記載されているような多層コーチングまたはホログラフィックコーチングなどの光学的に調整されたコーチングによって形成することができる。
　第１〜８図の変型実施例として、このゴーグルの着用者の視野内へ更に追加の光学データを投入させるための手段を設けることができる。そのような変型実施例の１つが第９図に示されている。この実施例では、ゴーグル１１の接眼鏡の１つ、例えば接眼鏡２１ｂへの光路内にビームスプリッタの機能を果す複合プリズム３６を設ける。プリズム３６は、先に述べたものと同様の屋根型プリズム３５ｂと、該屋根型プリズムの上に重ね合せた追加のプリズム素子３５ｃとから成る。プリズム素子３５ｃの、屋根型プリズム３５ｂとの界面における表面は屋根型プリズムの屋根表面と補完関係をなす形状である。」（第４頁右上欄第１４行〜第５頁左上欄第４行）
　
「第９図のゴーグルは、第１０および１１図にはヘルメットに取付けられた状態で示されている。陰極線管４２およびそれに組合されたＨＶ電源は、側方へ突出した防護カバー６８内に収容されている。像増強鏡３３ａ，３３ｂのためのオンオフスイッチ８０が設けられており、対物レンズ３９ａ，３９ｂの焦点を変えるためのレバー８１ａ，８１ｂが設けられている。このゴーグルにおいては、接眼鏡の両眼間隔は、ゴーグルの中央に配置された調節ねじを備えた刻付きつまみ８２によって調節することができる。像増強鏡のための電源８３ａ，８３ｂは、それぞれ光学プロゼクタ１９ａの左方および光学プロゼクタ１９ｂの右方に収容されている。
　上述の実施例では、各接眼鏡２１は、半透光性、半反射性表面を備えた光学的に屈折性素材の２部片５５，５７とから成り、両部片の間の界面５４が（上述の実施例では出力面６３の方に向って）球状凹面状に湾曲されているが、光学的性能を高めるために、２部片５５，５７のどちらか一方または両方を、屈折率の異る２つ以上のセグメントから成る複合部片とすることができる。この構成によれば、色収差を減少または完全に回避することができる。」（第５頁左下欄第８行〜同頁右下欄第１１行）
　
「眼と接眼鏡との間隔が大きいので、着用者は、接眼鏡の周りをみることができ、飛行機のコックピットの計器類や、実際の風景の他の部分を観察することができる。また、通常の眼鏡をかけることもできる。」（第５頁右下欄第１４〜１８行）
　
「このゴーグルは双眼鏡型式であるので光学機構を簡略化し、立体画面を提供する。」（第６頁左上欄第６〜７行）が記載されている。
　
　同刊行物３〔甲第３号証（特開平３−２１４８７２号公報）〕には、
「眼球対応部の視線を眼球の水平方向の視線から下方に僅かにずらすように設計している。」（第２頁左下欄第１０〜１２行）
　
「接眼レンズの視線が眼球３４の水平方向の視線Ｑよりやや下向きになるように構成しているので、本発明の眼鏡型網膜直接表示装置を装着した状態で前方の様子を見ることが容易になり、携帯性が向上する。」（第３頁右下欄第１４〜１８行）
　
「眼球に対接している光学系の視線を眼球の水平方向の視線よりやや下方に位置するようにしているので、本発明の眼鏡型網膜直接表示装置を装着した状態で外部の状況も感知することができ、例えば歩行中でも使用できるという幅広い使用態様が可能になるという利点がある。」（第４頁左下欄第１３〜１８行）が記載されている。
　
　（エ）対比・判断
　本件発明１と上記刊行物１〜３に記載の発明とを対比すると、刊行物１〜３に記載の発明は、本件発明１を特定する事項である「メガネ型ディスプレイの使用者の正面より下方からの外光を、メガネ型ディスプレイのフレームを透過させて、メガネ型ディスプレイの使用者の眼に入射させる」点を備えておらず、この点により本件発明１は、明細書記載の「キーボードの中心とディスプレイの虚像の中心の眼からの視角は１８度程度とすることができる。この結果眼球の運動のみでディスプレイの虚像とキーボードとを安定して視ることができる。従ってキーの位置と表示内容とを容易に確認しながら作業することができ、作業時間の短縮と疲労の軽減を図ることができる。」という効果を奏するものであり、本件発明１が上記刊行物１〜３のいずれかに記載された発明であるとも、刊行物１〜３に記載の発明から容易に推考することができたものともいえない。
　
　本件請求項２に係る発明は、本件請求項１に係る発明の構成の一部をさらに限定したものであるから、本件請求項１に係る発明と同様の判断となる。
　
　（オ）むすび
　以上のとおりであるから、特許異議の申立の理由及び証拠によっては、本件請求項１及び２に係る発明についての特許を取り消すことはできない。
　また、他に本件請求項１及び２に係る発明についての特許を取り消すべき理由を発見しない。
　したがって、本件請求項１及び２に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１０月２５日（２００１．１０．２５）
【訂正の要旨】
　（訂正の要旨）
　訂正事項ａ
　特許請求の範囲の請求項１を、次のように訂正する。
「【請求項１】　液晶表示装置と拡大レンズとをメガネ型のフレームに収納してなるメガネ型ディスプレイにおいて、
　前記液晶表示装置と拡大レンズとは、前記液晶表示装置に表示され、前記拡大レンズにより拡大された画像が、前記メガネ型ディスプレイの使用者の正面に表示されるように配置され、
　前記メガネ型ディスプレイの使用者の正面からの外光が遮光され、
　前記メガネ型ディスプレイの使用者の正面より下方からの外光を、前記メガネ型ディスプレイのフレームを透過させて、前記メガネ型ディスプレイの使用者の眼に入射させる
　ことを特徴とするメガネ型ディスプレイ。」
　訂正事項ｂ
　特許時の特許請求の範囲の請求項２を削除する。
　訂正事項ｃ
　特許時の特許請求の範囲の請求項３を、次のように訂正する。
「【請求項２】　前記メガネ型ディスプレイは、その使用者が、通常の眼鏡をかけたまま装着できるように構成されていることを特徴とする請求項１に記載のメガネ型ディスプレイ。」
　訂正事項ｄ
　明細書の段落【０００６】中の
「メガネ型ディスプレイの使用者の正面より下方からの外光を、メガネ型ディスプレイの使用者の眼に入射させることを特徴とする。」を、「メガネ型ディスプレイの使用者の正面より下方からの外光を、メガネ型ディスプレイのフレームを透過させて、メガネ型ディスプレイの使用者の眼に入射させることを特徴とする。」と訂正する。
　訂正事項ｅ
　明細書の段落【０００７】を削除する。
　訂正事項ｆ
　明細書の段落【０００８】中の
「請求項３に記載のメガネ型ディスプレイは、」を、「請求項２に記載のメガネ型ディスプレイは、」と訂正する。
　訂正事項ｇ
　明細書の段落【０００９】中の
「下方から外界を見るようにしたので、視線の移動を少くして両方を交互に見ることができる。」を、「下方からフレームを透過して外界を見るようにしたので、視線の移動を少くして両方を交互に見ることができる。」と訂正する。
　訂正事項ｈ
　明細書の段落【００１０】を削除する。
　訂正事項ｉ
　明細書の段落【００１１】中の
「請求項３の構成のメガネ型ディスプレイにおいては、」を、「請求項２の構成のメガネ型ディスプレイにおいては、」と訂正する。
（５４）【発明の名称】
メガネ型ディスプレイ
（５７）【特許請求の範囲】
　【請求項１】　液晶表示装置と拡大レンズとをメガネ型のフレームに収納してなるメガネ型ディスプレイにおいて、
　前記液晶表示装置と拡大レンズとは、前記液晶表示装置に表示され、前記拡大レンズにより拡大された画像が、前記メガネ型ディスプレイの使用者の正面に表示されるように配置され、
　前記メガネ型ディスプレイの使用者の正面からの外光が遮光され、
　前記メガネ型ディスプレイの使用者の正面より下方からの外光を、
前記メガネ型ディスプレイのフレームを透過させて、
　ことを特徴とするメガネ型ディスプレイ。
　【
請求項２
　ことを特徴とする
請求項１
【発明の詳細な説明】
　【０００１】
　【産業上の利用分野】
　本発明は、使用者が耳にかけてワープロなどの画面表示情報を見るメガネ型ディスプレイに関する。
　【０００２】
　【従来の技術】
　例えばハンディタイプのワープロにおいて、携帯しやすくするために従来は図８に示すように、ワープロ本体１のキーボード２の上部に設けられたディスプレイ部３を小さくするか、または図９に示すようにディスプレイ部３をキーボード２に等しい大きさとし、一体に折りたためるようにしていた。
　【０００３】
　【発明が解決しようとする課題】
　しかしながら図８に示す構成では、ディスプレイ部３が小さいため行数が少なく表示内容が不十分になるという問題があった。また図９に示す構成では重量、容量ともに大きくなり、小型化には不利であった。
　【０００４】
　またワープロ作業においては、キーボード操作に熟練した人でなければブラインドタッチができないため、使用者はディスプレイ３とキーボード１とを交互に見ながら作業しなければならず、時間がかかり疲労するという問題があった。このとき図１０に示すように作業者４の眼とディスプレイ３の中心を結ぶ線５と、眼とキーボード２の中心を結ぶ線６とのなすαは、通常約４２度である。
　【０００５】
　本発明はこのような状況に鑑みてなされたもので、ワープロなどの電子機器の携行を容易にし、電子機器により表示される情報とキーボードなどの外界とを、目の位置を僅かに動かすだけで容易に見ることができ、キーボードなどの操作を短時間に疲労せずに行なうことのできるメガネ型ディスプレイを提供することを目的とする。
　【０００６】
　【課題を解決するための手段】
　請求項１に記載のメガネ型ディスプレイは、液晶表示装置と拡大レンズとをメガネ型のフレームに収納してなるメガネ型ディスプレイにおいて、液晶表示装置と拡大レンズとは、液晶表示装置に表示され、拡大レンズにより拡大された画像が、メガネ型ディスプレイの使用者の正面に表示されるように配置され、メガネ型ディスプレイの使用者の正面からの外光が遮光され、メガネ型ディスプレイの使用者の正面より下方からの外光を、
メガネ型ディスプレイのフレームを透過させて、
　【０００８】
　
請求項２
　【０００９】
　【作用】
　請求項１の構成のメガネ型ディスプレイにおいては、ディスプレイは使用者の耳に装着されるので電子機器本体を小型軽量とすることができ、携行が容易となる。また、正面で表示画像を視認し、下方から
フレームを透過して
　また、下部の視野範囲に例えばワープロのキーボードを置くことにより、ディスプレイの視認とキーボードの操作とを交互に容易に行なうことができる。
　さらに正面からの外光を遮断し、下方から外界を見ることができる。
　【００１１】
　
請求項２
　【００１２】
　【実施例】
　以下、本発明のメガネ型ディスプレイの一実施例を図面を参照して発明する。
　【００１３】
　図１乃至図３に本発明の一実施例の構成を示す。図２において、キーボード１１が搭載されたワープロ本体１２から出力される画面表示情報は、接続コード１３を介してメガネ型ディスプレイ１４に伝えられる。ワープロ本体１２は装置上必要な最小限の大きさとなっており、メガネ型ディスプレイ１４を図１に示すように使用者の耳１５に装着することにより、ワープロの画面表示情報を使用者が見ることができる。
　【００１４】
　図１にメガネ型ディスプレイ１４の構成を示す。メガネ型のフレーム１６内には接続コード１３の一端が接続されたＬＣＤ駆動回路１７と、ＬＣＤ駆動回路１７に電力を提供する電源１８とが収納されている。またフレーム１６の前面には左右１対の液晶表示装置であるＬＣＤ１９と、ＬＣＤ１９を背面から照明するバックライト２０とが装着されており、ＬＣＤ１９と使用者の眼２１との間のフレーム１６の内面には拡大レンズ２２が設けられている。そして接続コード１３を介してワープロ本体１２から送られてきた画面表示情報は、ＬＣＤ駆動回路１７によりデコードされ、ＬＣＤ１９によって表示が行なわれる。
　【００１５】
　ＬＣＤ１９は画面サイズが０．７インチ乃至１インチ程度の超小型のフルカラーまたはモノクロのＬＣＤであり、図３に示すように拡大レンズ２２により視距離約５００ｍｍの位置において１４インチ程度に拡大されて、使用者に虚像として見えるようになっている。またＬＣＤ１９、バックライト２０及び拡大レンズ２２は左右の眼球２１用にそれぞれ１組ずつ組み込まれており、通常は同一画面を表示して両眼視により自然な１つの表示画面２３が見えるように配置されている。
　【００１６】
　表示画面２３は図１に矢印Ａで示す正面の方向を見たときに見えるように配置されており、矢印Ｂで示す下向きの方向を見たときは、図３に示すフレーム１６の前面の下部２４を透過して手元が見えるように、下部２４の光透過率は７０％乃至８０％程度に高くなっている。またフレーム１６の前面の上部２５は外側から内部が見えないように光透過率は０％乃至１０％程度に低くなっている。
　【００１７】
　次に本実施例の作用を発明する。メガネ型ディスプレイ１４の場合、ＬＣＤ１９の虚像の位置は自由に設定できるので、キーボード１１の位置になるべく近づけ、図３に示す下部２４の部分からキーボード１１が見られるようにする。このとき使用者２６の姿勢が図４に示すようになると仮定すると、キーボード１１の中心２７とディスプレイの虚像の中心２８の眼２１からの視角αは１８度程度とすることができる。この結果眼球の運動のみでディスプレイの虚像とキーボード１１とを安定して視ることができる。従ってキーボード操作に不馴れな人は、キーの位置と表示内容とを容易に確認しながら作業することができ、作業時間の短縮と疲労の軽減を図ることができる。逆にキーボード操作に馴れた人は、ディスプレイ虚像のみを監視しながら楽な姿勢で操作することができる。
　【００１８】
　上記実施例ではフレーム１６の前面の視野の下部２４の光透過率を高くし、上部２５の光透過率を低くした場合について発明したが、図５に示すように下部２４の部分のフレーム１６を除去してもよい。
　【００１９】
　また図６に示すようにフレーム１６を例えばポリカーボネートで構成し、前面を上部から下部に向って光透過率が順次高くなるように、遮光手段としての素材色またはコーティングによってグラデーションをつけてもよい。さらに図７に示すように、フレーム１６の形状をスポーツサングラスの形状に近くし、通常の眼鏡３１のフレームの上部と使用者の耳の上に引っかけるようにしてもよい。このような形状のメガネ型ディスプレイを用いれば、眼鏡使用者は眼鏡をかけたまま装着できるので、光学系の視度調節は必要なく、手元もよく見える。
　【００２０】
　上記各実施例ではワープロの画面表示情報を見るメガネ型ディスプレイ１４について説明したが、ワープロに限定されず、ラップトップコンピュータ、ノートパソコン、多機能電子手帳、自動翻訳機などの電子機器にも応用できる。また文字情報のみでなく映像を映し出したり、片眼ずつ異なる情報を出力して合成させてもよい。
　【００２１】
　【発明の効果】
　以上説明したように、本発明のメガネ型ディスプレイは、フレームの前面の視野の一部によりディスプレイを視認し、他の一部によりディスプレイ以外の外界を見るようにしたので、電子機器の携行を容易にするとともに、電子機器により表示される情報とキーボードなどの外界とを、目の位置を僅かに動かすだけで容易に見ることができ、キーボードなどの操作を短時間に疲労せずに行なうことができる。
【図面の簡単な説明】
　【図１】
　本発明のメガネ型ディスプレイの一実施例の構成を示す説明図である。
　【図２】
　図１に示すメガネ型ディスプレイをワープロ本体に接続した状態を示す斜視図である。
　【図３】
　図１に示すメガネ型ディスプレイの作用を説明する斜視図である。
　【図４】
　図１に示すメガネ型ディスプレイを装着してワープロを操作する状態を示す説明図である。
　【図５】
　本発明のメガネ型ディスプレイの第２の実施例の構成を示す斜視図である。
　【図６】
　本発明のメガネ型ディスプレイの第３の実施例の構成を示す斜視図である。
　【図７】
　本発明のメガネ型ディスプレイの第４の実施例の構成を示す斜視図である。
　【図８】
　従来のハンディタイプワープロの一例の構成を示す外観斜視図である。
　【図９】
　従来のハンディタイプワープロの他の一例の構成を示す外観斜視図である。
　【図１０】
　従来のワープロの操作状態を示す説明図である。
　【符号の説明】
　１４　メガネ型ディスプレイ
　１６　フレーム
　１９　ＬＣＤ（液晶表示装置）
　２２　拡大レンズ
　２４　下部
　２５　上部